(57)【要約】【課題】動画等で広告宣伝活動等をする場合に、動画等の表示方法を変更する。【解決手段】ユーザ端末からのサーバへのアクセス時に、コンテンツデータ及び動画データと、該コンテンツデータと該動画データのユーザ端末上での表示方法を記述したデータである表示制御データとを、前記サーバからユーザ端末に送信するサーバ送信ステップを行う。前記ユーザ端末が、前記サーバから受信した前記表示制御データの記述に基づいた表示方法で、前記サーバから受信した前記コンテンツデータと前記動画データとを再生して表示する出力ステップを行う。前記ユーザ端末が前記出力ステップにおいて、所定の条件が満たされた場合に前記動画データを再生して表示する領域の面積を段階的に小さくする。【選択図】図１
2017228928.tif 000002
【特許請求の範囲】
【請求項１】
ユーザ端末からのサーバへのアクセス時に、コンテンツデータ及び動画データと、該コンテンツデータと該動画データのユーザ端末上での表示方法を記述したデータである制御データとを、前記サーバからユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくする
表示方法。
【請求項２】
ユーザ端末からのサーバへのアクセス時に、コンテンツデータ、動画データ及び音データと、該コンテンツデータと該動画データのユーザ端末上での表示方法と該音データのユーザ端末上での出力方法とを記述したデータである制御データとを、前記サーバからユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示すると共に前記音データを出力する出力ステップと、を備え、
前記ユーザ端末が前記出力ステップにおいて、所定の条件が満たされた場合に、前記音データを出力する状態と消音する状態とを切り替えると共に、前記動画データを再生して表示する領域の面積を段階的に小さくする
表示方法。
【請求項３】
前記所定の条件とは、前記ユーザ端末がアイコンを用いた操作を受け付けたこと、又は動画データの再生時間が経過して再生が終了したことの何れか又は双方である
請求項１又は２に記載の表示方法。
【請求項４】
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する
請求項３に記載の表示方法。
【請求項５】
前記出力ステップにおける、前記サーバから受信した前記動画データの再生の終了と共に、前記アイコンを、前記動画データを再度再生する指示を与えるためのアイコンに置き換える
請求項３又は４に記載の表示方法。
【請求項６】
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示する
請求項１、請求項２、請求項３、請求項４又は請求項５の何れか１項に記載の表示方法。
【請求項７】
前記ユーザ端末が前記出力ステップにおいて、
前記動画データを再生して表示する領域の面積を段階的に小さくすることを繰り返して、前記動画データを再生して表示する領域を無くすことにより前記動画データを非表示状態とすると共に、その後、前記コンテンツデータを表示する領域のスクロールに伴い、前記コンテンツデータを表示する領域の端部を表示する場合に、該端部と隣接する領域に前記動画データを再生して表示する領域を配置することにより前記動画データを再度表示状態とする
請求項１、請求項２、請求項３、請求項４、請求項５又は請求項６の何れか１項に記載の表示方法。
【発明の詳細な説明】
【技術分野】
【０００１】
本発明は、例えばインターネット等のネットワークを介して、例えばコマーシャル等の動画等を端末等に表示するための表示方法に関する。
【背景技術】
【０００２】
従来、インターネット等のネットワークは、種々の情報提供の用途に利用されている。また、この情報提供に係る各種ホームページ上では、例えばいわゆるバナー広告のように、文字表記、イラスト、静止画等を使用して宣伝広告活動が図られている。
【０００３】
このようなインターネットによる広告活動に関して、特許文献１では、インターネットのホームページ上で映画等の映像コンテンツを提供する際に、コマーシャル映像を併せて提供するようにしている。そして、この際に、このコマーシャル映像をユーザに応じて選択する工夫が提案されている。
【先行技術文献】
【特許文献】
【０００４】
【特許文献１】特開２００１−３０９３４５号公報
【発明の概要】
【発明が解決しようとする課題】
【０００５】
このようにコンテンツを提供するホームページ上において、広告宣伝活動用に動画等を表示させれば、一段と宣伝広告活動の効果を図ることができると考えられる。
【０００６】
しかしながら、ユーザの本来の目的は、ホームページ上で提供されるコンテンツを参照することであり、ユーザは広告宣伝用の動画等を参照するためにホームページにアクセスをしているのではない。そのため、ユーザの立場からは、広告宣伝用の動画等を表示する場合、この動画等の表示態様を、目立たない表示態様にしたり、非表示にしたりすることが望まれると考えられる。
【０００７】
しかしながらその一方で、広告宣伝用の動画等を提供している事業者からしてみれば、広告宣伝用の動画等を提供するために所定のコストを投じている以上は、ユーザに広告宣伝用の動画等を見てもらう必要がある。そのため、ユーザの要望に合わせて、広告宣伝用の動画等を最初から一切表示しないというわけにはいかない。
【０００８】
本発明は、これらの点を考慮してなされたもので、動画等で例えば広告宣伝活動等をする場合に、ユーザ、事業者の双方の利便を図ることが可能な表示方法を提供することを目的とする。
【課題を解決するための手段】
【０００９】
（１）  ユーザ端末からのサーバへのアクセス時に、コンテンツデータ及び動画データと、該コンテンツデータと該動画データのユーザ端末上での表示方法を記述したデータである制御データとを、前記サーバからユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくする
表示方法。
【００１０】
（１）によれば、制御データの記述に基づいて、所定の条件が満たされた場合に前記動画データを再生して表示する領域の面積を段階的に小さくすることができる。これにより、例えば広告動画表示する場合に、ユーザ端末上での表示方法を変更することができる。また、これにより、ユーザはコンテンツを広い領域で参照することが可能となる。
【００１１】
（２）  ユーザ端末からのサーバへのアクセス時に、コンテンツデータ、動画データ及び音データと、該コンテンツデータと該動画データのユーザ端末上での表示方法と該音データのユーザ端末上での出力方法とを記述したデータである制御データとを、前記サーバからユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示すると共に前記音データを出力する出力ステップと、を備え、
前記ユーザ端末が前記出力ステップにおいて、所定の条件が満たされた場合に、前記音データを出力する状態と消音する状態とを切り替えると共に、前記動画データを再生して表示する領域の面積を段階的に小さくする
表示方法。
【００１２】
（２）によれば、制御データの記述に基づいて、所定の条件が満たされた場合に前記動画データを再生して表示する領域の面積を段階的に小さくすることができる。これにより、例えば広告動画表示する場合に、ユーザ端末上での表示方法を変更することができる。また、これにより、ユーザはコンテンツを広い領域で参照することが可能となる。更に、動画データの再生に伴い。音データを出力できると共に、所定の条件が満たされた場合に前記音データを出力する状態と消音する状態とを切り替えることができる。これにより、例えば広告動画表示すると共に音声を出力する場合に、ユーザ端末上で音を出力するか否かを変更することができる。
【００１３】
（３）  （１）又は（２）において、
前記所定の条件とは、前記ユーザ端末がアイコンを用いた操作を受け付けたこと、又は動画データの再生時間が経過して再生が終了したことの何れか又は双方である表示方法。
【００１４】
（２）によれば、アイコンの操作や動画の再生終了を契機として動画データを表示する領域を小さくしたり、音の出力と消音とを切り替えたりすることができる。この点、アイコンの操作を契機とする場合は、動画データを表示する領域を小さくしたいか否かや、音を出力したいか否かについてのユーザの意思を反映することができる。また、動画の再生終了を契機とする場合は、ユーザの操作を要することなく動画データを表示する領域を小さくしたり、消音したりすることができる。
【００１５】
（４）  （３）において、
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する表示方法。
【００１６】
（４）によれば、コンテンツデータをスクロールするまでは、動画データを表示する領域を小さくするためのアイコンによる操作を受け付けない。そのため、コンテンツデータをスクロールするまでは、ユーザに動画を参照させることができる。
【００１７】
（５）  （３）又は（４）において、
前記出力ステップにおける、前記サーバから受信した前記動画データの再生の終了と共に、前記アイコンを、前記動画データを再度再生する指示を与えるためのアイコンに置き換える。
【００１８】
（５）によれば、動画データ再生終了時に、ユーザがアイコンにより、動画データを再度再生する指示を容易に与えることができる。
【００１９】
（６）  （１）、（２）、（３）、（４）又は（５）において、
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、該重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示する表示方法。
【００２０】
（６）によれば、コンテンツデータを表示する領域のスクロールがあったとしても動画データを再生して表示することができる。これにより、ユーザに動画データを参照させることが可能となる。また、動画データを再生して表示する領域の面積を段階的に小さくすることにより、存在しなくなった部分については、重畳している部分に対応するコンテンツデータを表示することができる。これにより、画面内に、動画もコンテンツも表示されないような領域を生んでしまうようなことを防止できる。従って、画面内を有効に活用することができる。
【００２１】
（７）  （１）、（２）、（３）、（４）、（５）又は（６）において、
前記ユーザ端末が前記出力ステップにおいて、
前記動画データを再生して表示する領域の面積を段階的に小さくすることを繰り返して、前記動画データを再生して表示する領域を無くすことにより前記動画データを非表示状態とすると共に、その後、前記コンテンツデータを表示する領域のスクロールに伴い、前記コンテンツデータを表示する領域の端部を表示する場合に、該端部と隣接する領域に前記動画データを再生して表示する領域を配置することにより前記動画データを再度表示状態とする。
【００２２】
（７）によれば、所定の条件が満たされた場合に、動画を非表示とすることができる。これにより、広い領域でユーザにコンテンツを参照させることができる。また、コンテンツデータを表示する領域が、領域の端部までスクロールした場合に、ユーザに再度動画を参照させることができる。
【発明の効果】
【００２３】
本発明によれば、動画等で例えば広告宣伝活動等をする場合に、ユーザ、事業者の双方の利便を図ることが可能となる。
【図面の簡単な説明】
【００２４】
【図１】本発明の実施形態の基本的構成を表す図である。
【図２】本発明の実施形態におけるユーザ端末の基本的な表示方法を表す図である。
【図３】本発明の実施形態においてユーザ端末に表示を行うための基本的動作を表すフローチャートである。
【図４】本発明の実施形態におけるユーザ端末での表示方法の変更について表す図である。
【図５】本発明の実施形態におけるユーザ端末での表示方法の変更のための基本的動作を表すフローチャートである。
【図６】本発明の実施形態におけるボタンの反応エリアについて表す図である。
【図７】本発明の第２実施形態におけるオーバーレイ広告動画の表示について示す図（１／２）である。
【図８】本発明の第２実施形態におけるオーバーレイ広告動画の表示について示す図（２／２）である。
【図９】本発明の第５実施形態の基本的構成を表す図である。
【図１０】本発明の実施形態におけるユーザ端末での表示方法の変更の変形例について表す図の１つ（１／１１）である。
【図１１】本発明の実施形態におけるユーザ端末での表示方法の変更の変形例について表す図の１つ（２／１１）である。
【図１２】本発明の実施形態におけるユーザ端末での表示方法の変更の変形例について表す図の１つ（３／１１）である。
【図１３】本発明の実施形態におけるユーザ端末での表示方法の変更の変形例について表す図の１つ（４／１１）である。
【図１４】本発明の実施形態におけるユーザ端末での表示方法の変更の変形例について表す図の１つ（５／１１）である。
【図１５】本発明の実施形態におけるユーザ端末での表示方法の変更の変形例について表す図の１つ（６／１１）である。
【図１６】本発明の実施形態におけるユーザ端末での表示方法の変更の変形例について表す図の１つ（７／１１）である。
【図１７】本発明の実施形態におけるユーザ端末での表示方法の変更の変形例について表す図の１つ（８／１１）である。
【図１８】本発明の実施形態におけるユーザ端末での表示方法の変更の変形例について表す図の１つ（９／１１）である。
【図１９】本発明の実施形態におけるユーザ端末での表示方法の変更の変形例について表す図の１つ（１０／１１）である。
【図２０】本発明の実施形態におけるユーザ端末での表示方法の変更の変形例について表す図の１つ（１１／１１）である。
【発明を実施するための形態】
【００２５】
以下、本発明の実施形態について図面を参照しながら詳述する。
〔第１実施形態〕
図１は、本発明の第１実施形態に係る動画提供システムを示すブロック図である。この動画提供システム１は、インターネット等のネットワークを介してコンテンツサーバ２Ａ、２Ｂからホームページをユーザ端末３Ａ、３Ｂに提供し、これによりコンテンツサーバ２Ａ、２Ｂの運営主体の意図する情報をユーザに提供する。またさらに動画提供システム１は、このコンテンツサーバ２Ａ、２Ｂが提供するホームページ上で、インターネット等のネットワークを介して動画管理サーバ４から提供される動画をユーザに提供し、コンテンツサーバ２Ａ、２Ｂにより提供されるホームページ上でこの動画をユーザに参照させる。この場合に、動画管理サーバ４から提供される動画を例えばコマーシャル映像等にすることにより、コンテンツサーバ２Ａ、２Ｂが提供するコンテンツを閲覧しにきたユーザに対して宣伝広告活動を実行することが可能となる。
【００２６】
ここでユーザ端末３Ａ、３Ｂは、インターネット等のネットワークに接続可能な情報機器であり、より具体的には、ユーザ端末３Ａ、３Ｂは、スマートフォン、タブレットパソコン等の情報携帯端末である。ユーザ端末３Ａ、３Ｂは、ユーザの操作によりコンテンツサーバ２Ａ、２Ｂに接続し、コンテンツサーバ２Ａ、２Ｂにより提供されるホームページの情報を取得する。そして、ユーザ端末３Ａ、３Ｂは、取得したホームページの情報に基づいて、ユーザ端末３Ａ、３Ｂ自身が備える表示画面にホームページを表示する。
【００２７】
ここでこのホームページの情報とは、当該ホームページを表示するための情報を少なくとも含んでおり、具体的には、ホームページの表示制御する情報を記述した例えばＨＴＭＬファイル等の表示制御ファイル、表示に供する各画像パーツのファイル等が含まれる。ユーザ端末３Ａ、３Ｂは、表示制御ファイルの記述に基づいてさらに動画管理サーバ４に接続し、動画管理サーバ４とのデータ通信により動画ファイルを取得してユーザに提供する。なお、動画管理サーバ４から取得してユーザに提供する動画ファイルには、動画として再生する動画データのファイルのみならず、静止画として再生する静止画データのファイルタが含まれていてもよい。更に、いわゆるテロップとして表示するためのテキストデータファイルが含まれていてもよい。ここで、動画とは、これを参照したユーザが動いたように感じられる画像を含む概念であり、例えば、異なる静止画像を連続して再生することにより、複数の静止画像を動く画像とした動画像（動くテキストが重畳されたものも動画像に含まれる）により実現できる。また、かかる動画像に重畳してテキストを表示したものも動画に含むようにしてもよい。
【００２８】
また、動画や静止画と共に音楽や音声といった音を出力してユーザに提供するのであれば、ホームページの情報には、ホームページの音の出力制御する情報を記述した例えばＨＴＭＬファイル等の音出力制御ファイルが含まれる。ユーザ端末３Ａ、３Ｂは、音出力制御ファイルの記述に基づいてさらに動画管理サーバ４に接続し、動画管理サーバ４とのデータ通信により音楽データのファイルや音声データのファイルを取得してユーザに提供する。この場合には、動画ファイルに音楽や音声のファイルが含まれていてもよい。また、表示制御ファイルと音出力制御ファイルとを１つとして、例えば１つのＨＴＭＬファイルにて実現するようにしてもよい。具体的には、表示制御ファイルであるＨＴＭＬファイルに音の出力制御をする情報を追加して記述するようにすればよい。以下では、特に説明を加えなくても、動画や静止画と共に音を出力する場合があり、この場合には動画ファイルに音楽データのファイルや音声データのファイルが含まれていると共に、表示制御ファイルであるＨＴＭＬファイルに音の出力制御をする情報が追加して記述されているものとして説明をする。なお、音を出力する場合に関連する特徴ついては、後述の〔第２実施形態〕にて詳細に説明をする。
【００２９】
コンテンツサーバ２Ａ、２Ｂは、企業、組織、個人等がインターネット上で展開するホームページのサーバであり、ユーザ端末３Ａ、３Ｂからの要求により、このホームページを表示するための情報をユーザ端末３Ａ、３Ｂに提供する。これによりコンテンツサーバ２Ａ、２Ｂは、このホームページを表示するための情報により提供される表示制御ファイルにより、ユーザ端末３Ａ、３Ｂで所望のレイアウトによりホームページを表示する。
【００３０】
図２は、ユーザ端末３Ａ、３Ｂの表示画面において、この表示制御ファイルの記述により表示される情報のレイアウトを示す図である。ここで、ユーザ端末３Ａ、３Ｂの表示画面は、タッチパネルにより実現される。そして、ユーザは、かかるタッチパネルに手で触れたり、ペンで触れたりすることにより、種々の操作を実行する。なお、種々の操作は、これ以外の、例えば表示画面に触れない方法により実現されてもよい。例えば、カメラやセンサーにより、ユーザのジェスチャーを検知し、この検知したジェスチャーに基づいて操作内容を判断するようにしてもよい。例えば、ユーザによる所定の手の動きを検知した場合や、ユーザのウインクを検知した場合に、所定のアイコンのタップ操作やページ遷移の操作が行われたと判断するようにしてもよい。また、他にもユーザの首の動きに応じて、スワイプ操作やページ遷移の操作が行われたと判断するようにしてもよい。なお、ユーザ端末３Ａ、３Ｂの何れも同様の表示を行うことから、図中では、末尾のアルファベットを省略して、単にユーザ端末３と表記する。
【００３１】
図２を参照すると、ユーザ端末３Ａ、３Ｂの表示画面の最上段に、動画管理サーバ４から取得した動画を表示するための領域である動画エリアＡＲ１が設けられる。かかる動画エリアＡＲ１には、例えば広告宣伝用のコマーシャル映像等の動画広告が表示される。以下の説明では、かかる動画広告を「オーバーレイ動画広告」と呼ぶ。続いて、ユーザ端末３Ａ、３Ｂの表示画面の最下段に、このホームページで提供するコンテンツを表示するための領域であるコンテンツエリアＡＲ２が設けられ、このホームページでユーザに提供する各種の情報がこのコンテンツ表記領域で表示される。より具体的に、例えばこのホームページがニュースを提供するホームページである場合、このコンテンツエリアＡＲ２にニュースの各タイトルが順次表示される。ユーザ端末３Ａ、３Ｂは、コンテンツエリアＡＲ２に係るユーザの操作により、表示制御ファイルの記述に従って、このコンテンツエリアＡＲ２をスクロールさせ、またコンテンツエリアＡＲ２をページ送り又はページ戻しする。またコンテンツエリアＡＲ２の操作に応動してコンテンツサーバ２Ａ、２Ｂにアクセスし、リンクがなされている他のホームページの表示に切り替える。更に、動画エリアＡＲ１とコンテンツエリアＡＲ２の境界には、動画エリアＡＲ１とコンテンツエリアＡＲ２の境界をユーザが視覚的に認識できるように境界エリアＡＲ３が設けられる。
【００３２】
このようにホームページに係る表示制御ファイルで動画エリアＡＲ１を確保するようにして、コンテンツサーバ２Ａ、２Ｂは、この表示制御ファイルに、動画エリアＡＲ１での表示に供するオーバーレイ動画広告に対応する動画ファイルの格納先アドレス（ＵＲＬである）を記述してユーザ端末３Ａ、３Ｂに通知する。ここでこのＵＲＬは、動画管理サーバ４から事前にコンテンツサーバ２Ａ、２Ｂに通知される。またユーザ端末３Ａ、３Ｂへの、このアドレスの通知は、例えばＪａｖａｓｃｒｉｐｔ（登録商標）のタグにより実行され、これによりコンテンツサーバ２Ａ、２Ｂでは動画管理サーバ４からの通知の記述をそのまま制御ファイルに追加するだけの簡易な処理により、ユーザ端末３Ａ、３Ｂで動画管理サーバ４をアクセスできるように設定される。
【００３３】
動画管理サーバ４は、ユーザ端末３Ａ、３Ｂに提供する動画ファイルを管理するコンピュータである。動画管理サーバ４は、この動画提供システム１の利用をコンテンツサーバ２Ａ、２Ｂにより開始する場合に、動画ファイルの格納先のアドレスをコンテンツサーバ２Ａ、２Ｂに通知する。またその後、必要に応じて、定期的に、又は不定期にこのアドレスをコンテンツサーバ２Ａ、２Ｂ通知する。
【００３４】
またこのアドレスの通知に基づくユーザ端末３Ａ、３Ｂからのアクセスにより、対応する動画ファイルをユーザ端末３Ａ、３Ｂに通知する。この動画ファイルの通知の際に、例えばユーザ端末３Ａ、３Ｂからのアクセスに係る表示制御ファイルの情報を取得することにより、動画管理サーバ４へのアクセスが何れのコンテンツサーバ２Ａ、２Ｂに基づくものか判断し、これによりコンテンツサーバ２Ａ、２Ｂに対応する動画ファイルをユーザ端末３Ａ、３Ｂに提供する。なおコンテンツサーバ２Ａ、２Ｂの判断は、コンテンツサーバ２Ａ、２ＢのＵＲＬをユーザ端末３Ａ、３Ｂから取得して判断してもよく、またホームページに係る管理ファイルのファイル名により判断しても良く、種々の判断手法を広く適用することができる。
【００３５】
これにより動画管理サーバ４は、例えば特定企業のホームページからのアクセスに対して、競合企業のコマーシャル映像等を提供しないようにする。またこれとは逆に、例えばコンテンツサーバ２Ａ、２Ｂをアクセスするユーザ層に好まれる動画を選択的に提供する。より具体的に、動画管理サーバ４は、コンテンツサーバ２Ａ、２Ｂの運営主体より許可された動画のみ対応するコンテンツサーバ２Ａ、２Ｂに提供するようにし、またこれとは逆に、動画の提供主体から許可されたコンテンツサーバ２Ａ、２Ｂに対してのみに対応する動画を提供する。このため動画管理サーバ４は、コンテンツサーバ２Ａ、２Ｂの識別情報であるサーバＩＤ、動画ファイルの識別情報である動画ＩＤを設定して動画ファイルを管理し、このサーバＩＤ、動画ＩＤに基づいてコンテンツサーバ２Ａ、２Ｂに対応する動画ファイルを提供する。
【００３６】
また動画管理サーバ４は、このようなユーザ端末３Ａ、３Ｂへの動画ファイルの提供の履歴を記録して保持し、この記録によりコンテンツサーバ２Ａ、２Ｂで提供する動画の利用料に係る処理等を一元管理できるようにする。また定期的に、又は不定期に、ユーザ端末３Ａ、３Ｂに提供する動画ファイルを変更する。これらにより動画管理サーバ４は、複数のコンテンツサーバで提供する動画ファイルを一元的に管理する。
【００３７】
ここで、本実施形態では、ホームページに係る表示制御ファイルにて図２に示すようにユーザ端末３Ａ、３Ｂの表示画面を複数のエリアに区分し、少なくとも１つのエリアにコンテンツサーバ２Ａ、２Ｂから取得されるコンテンツを表示し、少なくとも他の１つのエリアに動画管理サーバ４から取得するオーバーレイ動画広告を表示する。そして、本実施形態ではこのように表示を行うのみならず、ユーザの操作等に応じて表示制御ファイルの内容を変更することにより、これら各エリアのレイアウトを変更する。
【００３８】
以下では、まず複数のエリアに情報を表示するための処理手順について説明し、次にレイアウトの変更をする際の処理手順や、レイアウトを具体的にどのようなレイアウトに変更するのかについて説明をする。
【００３９】
まず、図３のフローチャートを参照して、動画提供システム１において図２のようにオーバーレイ動画広告を表示するための一連の処理手順について説明をする。
【００４０】
この動画提供システム１では、コンテンツサーバ２Ａ、２Ｂによりオーバーレイ動画広告の提供を開始する場合に、動画管理サーバ４が動画ファイルの格納先のアドレスをコンテンツサーバ２Ａ、２Ｂに通知する（ＳＰ１−ＳＰ２）。またその後、必要に応じて定期的に、又は不定期に、アドレスの通知を継続する。
【００４１】
これによりコンテンツサーバ２Ａ、２Ｂは、このアドレスを記録して保持し、ユーザ端末３Ａ、３Ｂからのホームページのアクセスにより（ＳＰ３）、動画ファイルのアドレスを設定したホームページのデータをユーザ端末３Ａ、３Ｂにダウンロードする（ＳＰ４）。かかるホームページのデータには、上述したように、ホームページの表示を制御する情報を記述した例えばＨＴＭＬファイル等の表示制御ファイル、表示に供する各パーツのファイル等が含まれる。ユーザ端末３Ａ、３Ｂでは、このダウンロードしたデータを処理することにより、この場合、Ｊａｖａｓｃｒｉｐｔ（登録商標）の動作を立ち上げて動画管理サーバ４をアクセスし（ＳＰ５）、この動画管理サーバ４とのデータ交換によりアクセスに係るコンテンツサーバ２Ａ、２Ｂを動画管理サーバ４で確認し、この確認結果に基づき、対応する動画ファイルを動画管理サーバ４からユーザ端末３Ａ、３Ｂに配信してオーバーレイ動画広告をユーザに提供する。
【００４２】
このように複数のコンテンツサーバで提供する動画ファイルを動画管理サーバ４により一元管理することにより、コンテンツサーバの運営主体においては、この動画に係る種々の調整、管理を省略することができる。また、適宜、ユーザ端末に提供する動画を更新することができる。これらにより動画の管理を簡略化することができる。
【００４３】
またこのようにしてコンテンツサーバのホームページで提供する動画にあっては、このホームページのレイアウトにより表示されることにより、恰も、コンテンツサーバの管理主体によるホームページの作製により提供されているようにユーザ端末のユーザに認識させることができ、これによりこのように複数のコンテンツサーバに係る動画ファイルを一元管理する場合にあっても、各ホームページの特徴を損なうことなく、オーバーレイ動画広告を提供することができる。
【００４４】
これによりホームページの運営主体は、手軽にオーバーレイ動画広告を提供することができ、一段とホームページの魅力を向上することができる。また動画管理サーバ４による動画ファイルの管理により、定期的に、又は不定期に、ユーザ端末３Ａ、３Ｂに提供するオーバーレイ動画広告を変更できることにより、ユーザに飽きられることなく、ホームページの魅力を継続することができる。
【００４５】
次に、レイアウトの変更をする際の処理手順や、レイアウトを具体的にどのようなレイアウトに変更するのかについて、図２に加えて、図４、図５及び図６を参照して説明をする。ここで、図４は、レイアウトの変更に伴い変更されるユーザ端末３Ａ、３Ｂの表示状態を表す図である。また、図５は、レイアウトの変更をする際の処理手順を示すフローチャートである。更に、図６はボタンＢ１の反応エリアである反応エリアＡＲ４を表す図である。
【００４６】
ここで、本実施形態では、レイアウトの変更のための操作用のアイコンとしてボタンＢ１を用いる。もっとも、図２に表すように、ユーザ端末３Ａ、３ＢがホームページにアクセスしてＳＰ１乃至ＳＰ７の処理を実行した当初には、表示制御ファイルに従ってボタンＢ１は表示されていない状態である（ＳＰ１１）。
【００４７】
この状態で、ユーザがコンテンツエリアＡＲ２に指先等を接触させ下から上方向に指先を動かすというスワイプ操作を行うと、ユーザ端末３Ａ、３Ｂは、コンテンツエリアＡＲ２の表示を上方向にスクロールさせる。また、スクロールに伴いコンテンツエリアＡＲ２に表示しているコンテンツが上方向にスクロールして表示される。これによりコンテンツエリアＡＲ２は、動画エリアＡＲ１及び境界エリアＡＲ３のエリアに潜り込むようにスクロールすることになり、画面上では、スクロールしたコンテンツエリアＡＲ２を背面とし、動画エリアＡＲ１及び境界エリアＡＲ３を前面としてオーバーレイ表示する。すなわち、動画エリアＡＲ１のオーバーレイ動画広告及び境界エリアＡＲ３における境界を表す表示を、スクロールしたコンテンツエリアＡＲ２に表示されるコンテンツの上に重畳してオーバーレイ表示する。これにより、ユーザの目からは動画エリアＡＲ１のオーバーレイ動画広告及び境界エリアＡＲ３における境界を表す表示が常時表示されている状態となる。
【００４８】
この状態でユーザがスワイプ操作を継続し、コンテンツエリアＡＲ２が、一定値以上スクロールした場合（ＳＰ１２においてＹｅｓ）、ユーザ端末３Ａ、３Ｂは、図４の（Ａ）のように境界エリアＡＲ３の右端にボタンＢ１を表示させる（ＳＰ１３）。ここで、コンテンツエリアＡＲ２が、一定値以上スクロールした場合とは、例えば動画エリアＡＲ１の領域上下幅と境界エリアＡＲ３の上下幅を合算した幅以上に、コンテンツエリアＡＲ２を下方向にスクロールした場合である。また、他にも例えばコンテンツエリアＡＲ２に表示されるコンテンツデータの未表示部分が所定の上下幅よりも少なくなるまで、コンテンツエリアＡＲ２を下方向にスクロールした場合である。更に、他にも例えばコンテンツエリアＡＲ２が、閾値以上の幅下方向にスクロールした場合である。なお、このようにスワイプ操作が行われたこと（ＳＰ１２においてＹｅｓ）を条件として、図４の（Ａ）のように境界エリアＡＲ３の右端にボタンＢ１を表示させる（ＳＰ１３）のではなく、スワイプ操作が行われるか否かを問わず、予め同位置にボタンＢ１を表示させておくようにしてもよい。つまり、ステップＳ１１の時点で、同位置にボタンＢ１を表示させておくようにしておき、ステップＳ１２の判定や、ステップＳ１３の処理を省略するようにしてもよい。
【００４９】
ここで、ＳＰ１２及びＳＰ１３における、コンテンツのスクロールやボタンの表示は、上述したようにコンテンツサーバ２Ａ、２Ｂが生成してユーザ端末３Ａ、３Ｂに対して提供する表示制御ファイルの記述により実現される。具体的には、どのような操作を受け付けた場合に、どのような表示態様で表示を行うのかが予め表示制御ファイルに記述されており、ユーザ端末３Ａ、３Ｂはかかる表示制御ファイルの記述に基づいて表示を行う。
【００５０】
次に、ユーザ端末３Ａ、３Ｂは、表示中のオーバーレイ動画広告が最後まで再生されて、再生終了となったか否かを判定する（ＳＰ１４）。
【００５１】
ここで、再生終了となったと判定したならば（ＳＰ１４においてＹｅｓ）ＳＰ１６に遷移する。一方で、未だ再生終了となっていないと判定したならば（ＳＰ１４においてＮｏ）、すなわちオーバーレイ動画広告が再生中ならばＳＰ１５に遷移する。
【００５２】
ＳＰ１５では、ボタンＢ１に対して、ユーザ押下するという操作であるタップ操作が行なわれたか否かをユーザ端末３Ａ、３Ｂが判定する。タップ操作が行なわれたと判定したならば（ＳＰ１５においてＹｅｓ）、ＳＰ１６に遷移する。一方で、タップ操作が行なわれていないと判定したならば（ＳＰ１５においてＮｏ）、再度ＳＰ１４に遷移して処理を継続する。
【００５３】
ここで、本実施形態におけるボタンＢ１の反応エリアＡＲ４について図６を参照して説明を行う。境界エリアＡＲ３は、動画エリアＡＲ１とコンテンツエリアＡＲ２の境界を表すものであり、その目的のためには境界エリアＡＲ３の上下幅をそれほど広くする必要はない。そのため境界エリアＡＲ３の右端に配置されるボタンＢ１のサイズは必然的に小さなサイズとなる。しかしながら、ボタンＢ１のサイズが小さすぎると、ユーザがボタンＢ１に対してタップ操作を試みたが、実際にはボタンＢ１が表示された領域はタップ操作されていないという状況になってしまい、ユーザの意図に反してかかるタップ操作が失敗に終わる可能性がある。
【００５４】
そこで、図６に示すように、ボタンＢ１についてのタップ操作が反応するエリアである反応エリアＡＲ４を、ボタンＢ１の表示サイズよりも大きくする。例えば、ボタンＢ１の表示サイズが２０ピクセル四方であるならば、ボタンＢ１についてのタップ操作が反応するエリアを４０ピクセル四方とする。つまり、例えば、縦横をそれぞれ二倍とし、反応するエリア全体の面積を四倍とする。このように反応するエリアを大きくすれば、上述したタップ操作が失敗に終わるという問題を解消することができる。なお、タップ操作が反応するエリアをボタンＢ１の下側に配置することもできるが、本例ではボタンＢ１の上側、すなわち、動画エリアＡＲ１側に配置している。なぜならばボタンＢ１は、オーバーレイ動画広告に関するものであることから、これに関連する動画エリアＡＲ１側に配置することが好ましいからである。また、コンテンツサーバ２Ａ、２Ｂが提供するホームページの制作者が、このようにタップ操作が反応するエリアが配置されることを考慮せずにホームページを制作していることが考えられるからである。更に、図示しているようにボタンＢ１を境界エリアＡＲ３の右端に配置しているが、ボタンＢ１を境界エリアＡＲ３の左端に配置したり、両端に配置したりするようにしてもよく、これ以外の配置とするようにしてもよい。
【００５５】
次に、オーバーレイ動画広告が再生終了した場合（ＳＰ１４においてＹｅｓ）や、ボタンＢ１に対してタップ操作が行なわれた場合（ＳＰ１５においてＹｅｓ）、に遷移するＳＰ１６について説明をする。ＳＰ１６では、ユーザ端末３Ａ、３Ｂが、オーバーレイ動画広告が表示されている動画エリアＡＲ１及び境界エリアＡＲ３を画面上側にスライドさせることにより図４の（Ｂ）のように動画エリアＡＲ１を段階的に縮小させ、最終的には図４の（Ｃ）のように動画エリアＡＲ１及び境界エリアＡＲ３を無くす（ＳＰ１６）。この際、動画エリアＡＲ１及び境界エリアＡＲ３が存在していたエリアには、動画エリアＡＲ１及び境界エリアＡＲ３をオーバーレイで重ねて表示していたことにより、動画エリアＡＲ１及び境界エリアＡＲ３により隠れていたコンテンツエリアＡＲ２のコンテンツを表示するようにする。これにより、ユーザの目からは、オーバーレイ動画広告が段階的に縮小して最終的にはオーバーレイ動画広告が非表示となり、これに伴い、コンテンツエリアＡＲ２が段階的に拡大して最終的には、全画面にコンテンツエリアＡＲ２が表示されることとなる。なお、動画エリアＡＲ１及び境界エリアＡＲ３を無くすのではなく、動画エリアＡＲ１及び境界エリアＡＲ３の上に重ねてコンテンツエリアＡＲ２を表示するようにしてもよい。
【００５６】
なお、ＳＰ１６の処理も、ＳＰ１２やＳＰ１２と同様に、コンテンツサーバ２Ａ、２Ｂが生成してユーザ端末３Ａ、３Ｂに対して提供する表示制御ファイルの記述により実現される。具体的には、ＳＰ１６に遷移した場合に、どのように動画エリアＡＲ１及び境界エリアＡＲ３の表示態様を変更するのかが、予め表示制御ファイルに記述されており、ユーザ端末３Ａ、３Ｂはかかる表示制御ファイルの記述に基づいて表示を行う。
【００５７】
その後、ユーザ端末３Ａ、３Ｂは、ユーザのスワイプ操作に応じて境界エリアＡＲ３に表示するコンテンツをスクロールさせる。この場合に、ユーザ端末３Ａ、３Ｂは、ユーザがコンテンツエリアＡＲ２に指先等を接触させ上から下方向に指先を動かすというスワイプ操作を行うと、コンテンツエリアＡＲ２に表示しているコンテンツを上方向にスクロールするが、コンテンツが最上部までスクロールしたならば（ＳＰ１７においてＮｏ）、ユーザ端末３Ａ、３Ｂは、そのコンテンツ最上部の、更に上部に再度動画エリアＡＲ１及び境界エリアＡＲ３を表示させる（ＳＰ１８）。この場合には、ボタンＢ１は表示させない。つまり、ユーザ端末３Ａ、３Ｂは、図２に示すように表示を行う。そして、ユーザ端末３Ａ、３Ｂは、再度ＳＰ１２に遷移し、再度の処理を継続する。
【００５８】
この場合に、前回表示したオーバーレイ動画広告がＳＰ１６で非表示とした段階で再生終了していないのであれば（すなわち、ＳＰ１５においてＹｅｓとなったことによりＳＰ１６に遷移したならば）、このオーバーレイ動画広告をＳＰ１６で非表示とした続きから又は最初から再生するようにするとよいし、他のオーバーレイ動画広告を最初から再生するようにしてもよい。
【００５９】
また、前回表示したオーバーレイ動画広告がＳＰ１６で非表示とした段階で再生終了しているのであれば（すなわち、ＳＰ１４においてＹｅｓとなったことによりＳＰ１６に遷移したならば）、このオーバーレイ動画広告を再度最初から再生するようにしてもよいし、他のオーバーレイ動画広告を最初から再生するようにしてもよい。
【００６０】
かかるＳＰ１７のスクロールやＳＰ１８の処理も、ＳＰ１２、ＳＰ１３及びＳＰ１６と同様に、コンテンツサーバ２Ａ、２Ｂが生成してユーザ端末３Ａ、３Ｂに対して提供する表示制御ファイルの記述により実現される。具体的には、どのようにスクロールした場合に動画エリアＡＲ１及び境界エリアＡＲ３を再度表示するのかが、予め表示制御ファイルに記述されており、ユーザ端末３Ａ、３Ｂはかかる表示制御ファイルの記述に基づいて表示を行う。また、他のオーバーレイ動画広告を再生するような場合には、かかる他のオーバーレイ動画広告に対応する動画ファイルの格納先アドレス（ＵＲＬである）を、コンテンツサーバ２Ａ、２Ｂが表示制御ファイルに記述しておく。
【００６１】
以上説明したように、本実施形態では。オーバーレイ動画広告や境界エリアをスライドより非表示とすることができる。また、非表示としたオーバーレイ動画広告や境界エリアをスライドより再度表示することができる。そのため、ユーザが自身の要望に基づいてオーバーレイ動画広告を見ることも可能とできるし、オーバーレイ動画広告を非表示とすることも可能とできる。また、ホームページを表示した当初にはオーバーレイ動画広告を動画エリアＡＲ１に表示することから、少しでもオーバーレイ動画広告をユーザにみて欲しいという、オーバーレイ動画広告を提供する事業者の要望を満たすことも可能となる。すなわち、本実施形態では、動画等で例えば広告宣伝活動等をする場合に、ユーザ、事業者の双方の利便を図ることが可能となる。
【００６２】
また、オーバーレイ動画広告が終了したことも契機として、オーバーレイ動画広告を表示とできることから、終了時点での画像が、終了後も動画エリアＡＲ１に表示し続けることを防止できる。
【００６３】
更に、ＳＰ１７及びＳＰ１８の処理を行うことにより、再度オーバーレイ動画広告の参照を希望するユーザに対して、再度オーバーレイ動画広告を見せることも可能となる。
【００６４】
なお、以上の説明では、ＳＰ４にてコンテンツサーバ２Ａ、２Ｂからユーザ端末３Ａ、３Ｂに対して送信された表示制御ファイルの記述に基づいて、ＳＰ１１乃至ＳＰ１８におけるユーザ端末３Ａ、３Ｂの処理が実現されるものとした。この点、ユーザ端末３Ａ、３Ｂがタッチパネルにより受け付けた操作内容が、逐次コンテンツサーバ２Ａ、２Ｂに通知され、コンテンツサーバ２Ａ、２Ｂが通知された操作内容に基づいて逐次表示制御ファイルの記述を変更してユーザ端末３Ａ、３Ｂに通知するようにしてもよい。つまり、ユーザ端末３Ａ、３Ｂが、コンテンツサーバ２Ａ、２Ｂに最初にアクセスした時点の表示制御ファイルに全ての状況に対応する記述を含ませておいてもよいが、状況の変化に伴い表示制御ファイルの記述を変更するようにしてもよい。
【００６５】
〔第２実施形態〕
次に、第２実施形態について説明をする。本実施形態は、上述の第１実施形態の機能に、更に音の出力又は消音等に関するアイコンを表示する機能を加えた実施形態である。なお、本実施形態の基本的な構成については上述した第１実施形態と共通するので、この点について説明は省略し、以下では、もっぱら第１実施形態との相違点について説明をする。
【００６６】
まず、図７の左側にオーバーレイ広告動画を表示中のユーザ端末３を示す。この点、第１実施形態では、図５のフローチャートのＳＰ１３の処理を行うことによりボタンＢ１を表示していた。一方で、本実施形態ではボタンＢ１を表示するのではなく、ボタンＢ１に代わるアイコンを表示するエリアと、音の出力又は消音等に関するアイコンを表示するエリアとを、動画エリアＡＲ１に表示するオーバーレイ広告動画に設ける。
【００６７】
ここで、前提としてオーバーレイ広告動画には、動画や静止画に加えて音を含むものと、動画や静止画で実現され音は含まないもの二種類がある。本実施形態では、出力するオーバーレイ広告動画がこの二種類の何れかであるかに応じて、異なるユーザインタフェースを用意しており、これにより、出力するオーバーレイ広告動画がこの二種類の何れであっても対応可能としている。
【００６８】
まず、前者の、オーバーレイ広告動画が動画や静止画に加えて音声を含む場合について図７の右側上段を参照して説明をする。図７の右側上段に示すように、動画エリアＡＲ１には、第１アイコンエリアＡＲ１−１、第２アイコンエリアＡＲ１−２及び動画広告エリアＡＲ１−３が表示される。
【００６９】
第１アイコンエリアＡＲ１−１の中段上には、スピーカを模したアイコンを表示する。かかるアイコンは、現在音が出力中であるか、それとも消音中であるかを示すアイコンである。なお、図７の右側上段に図示しているのは、音が出力中である場合である。また、かかるアイコンの下に位置する第１アイコンエリアＡＲ１−１の中段下には、サウンドウェーブ、ピークメータ、あるいはビジュアライザー等の名称で呼ばれるビジュアルエフェクトを表示する。かかるビジュアルエフェクトは、特に音を出力中に意味のあるものであり、出力している音の音量、リズム、周波数レベルなどに応じて変化するビジュアルエフェクトである。音の出力中にはかかるビジュアルエフェクトが変化する一方で、消音中はかかるビジュアルエフェクトは変化しない。そのため、ユーザはビジュアルエフェクトを参照することで、現在音が出力中であるか消音中であるかを容易に把握することができる。また、音の出力中は、ビジュアルエフェクトが変化して動きを出すことで、ユーザの目を引くことができ、これによりユーザの目線をオーバーレイ広告動画の近くに誘導できるのでよい。
【００７０】
また、この場合に第１アイコンエリアＡＲ１−１の何れかの領域をユーザがタップ操作することにより、音が出力された状態と、消音の状態とが切り替わる。つまり、音が出力される状態でタップ操作があったならば、消音の状態に遷移する。一方で、消音中の状態でタップ操作があったならば、音が出力される状態に遷移する。
ここで、第１アイコンエリアＡＲ１−１の何れかの領域という広い領域ではなく、マイクを模したアイコンに対してタップがあった場合にのみ、かかる切り替わりを行うようにしてもよい。もっとも、図６を参照してボタンＢ１及び反応エリアＡＲ４を例に取って説明したように、実際のアイコンの表示領域のみで操作を受け付けると、操作の受け付ける領域が狭いため、タップ操作を行ったつもりのユーザの意図に反して操作を検知できない場合がある。そこで、本実施形態では反応エリアＡＲ４を設けるのと同様の考え方で、第１アイコンエリアＡＲ１−１の何れかの領域という広い領域でユーザのタップ操作を受け付けることとする。
【００７１】
他方、第２アイコンエリアＡＲ１−２の中段には三角形型のアイコンを示し、その上には「上方へ閉じる」というテキストを示す。なお、かかるアイコンの形状は三角形型に限定されず、他の任意の形状であってもよい。例えば、バツ印や、矢印といった形状であってもよい。また、テキストの文面も他の文面としてもよく、アイコンとテキストの何れかのみを表示するようにしてもよい。
かかる、第２アイコンエリアＡＲ１−２は、第１実施形態におけるボタンＢ１と同等の機能を有する領域である。そのため、第２アイコンエリアＡＲ１−２の何れかの領域をユーザがタップ操作することにより、ボタンＢ１がタップ操作された場合（図５のＳＰ１５においてＹｅｓの場合）と同じ処理が行われる。
なお、第２アイコンエリアＡＲ１−２の何れかの領域という広い領域でユーザのタップ操作を受け付けることとする理由は、第１アイコンエリアＡＲ１−１説明において上述した理由と同じ理由であり、ユーザの意図に反して操作を検知できない場合があることを考慮したものである。また、これに加えて、本実施形態では、ユーザが、ここが操作を行うための領域であることに気付きやすいように、かかる三角形型のアイコンを、ボタンＢ１に比べて大きく表示することとしている。
【００７２】
他方、第１アイコンエリアＡＲ１−１と第２アイコンエリアＡＲ１−２の間の領域、すなわち、動画エリアＡＲ１の中央の領域には動画広告エリアＡＲ１−３が設けられる。動画広告エリアＡＲ１−３には、第１実施形態において動画エリアＡＲ１全体に表示していたオーバーレイ広告動画が表示される。
【００７３】
次に、オーバーレイ広告動画が動画や静止画で実現され音を含まないものである場合について図７の右側下段を参照して説明をする。図７の右側下段に示すようにこの場合も、動画エリアＡＲ１には、第１アイコンエリアＡＲ１−１、第２アイコンエリアＡＲ１−２及び動画広告エリアＡＲ１−３が表示される。
この点、第２アイコンエリアＡＲ１−２及び動画広告エリアＡＲ１−３については、上述したオーバーレイ広告動画に音が含まれる場合と同じであるので説明を省略する。
【００７４】
第１アイコンエリアＡＲ１−１の中段上と中段下には、円形型のアイコンを示す。かかるアイコンは、単にユーザの美観に訴えるためのデザイン的な役割を果たすためのアイコンであり、それ以外の機能的な意味を有さない。そのため、この場合に、第１アイコンエリアＡＲ１−１の何れかの領域をユーザがタップ操作したとしても特別な処理は行わない。なお、アイコンの形状は、円形型以外の他の形状であってもよい。また、オーバーレイ広告動画が動画や静止画で実現され音を含まないものである場合に、第１アイコンエリアＡＲ１−１にアイコンを表示しないようにしてもよい。
【００７５】
このようにして、本実施形態ではオーバーレイ広告動画に動画や静止画以外に、音が含まれるか否かに応じて異なるユーザインタフェースを提供することができる。
【００７６】
次に、オーバーレイ広告動画に動画や静止画に加えて音が含まれる場合の画面遷移について図８を参照して説明をする。
まず、図８の左側上段に図８（Ａ）として、消音の状態での表示を示す。また、図８の左側下段に図８（Ｂ）として、音が出力される状態での表示を示す。更に、図８の右側に図８（Ｃ）として、オーバーレイ広告動画として表示した動画が再生終了し、静止画が表示されている状態での表示を示す。
【００７７】
まず、図８（Ａ）の消音の状態での表示であるが、図７の右側上段を参照して説明した音を出力した状態での表示とほぼ同等である。しかしながら、第１アイコンエリアＡＲ１−１の中段上に示されるスピーカを模したアイコンの、スピーカ出力側に消音状態を意味するようにバツ印が表示されている点で異なる。また、消音状態であるので、出力される音に応じて変化するビジュアルエフェクトが、変化することなく静止している点でも異なる。ユーザは、これらの音の出力状態時とは相違する表示を参照することにより消音状態であることを把握することができる。この場合に、第１アイコンエリアＡＲ１−１が押下されると、図８（Ｂ）に遷移する。なお、一般的に、音を含む動画再生時に、再生開始と共に音も自動的に出力される設定とはされておらず、最初は消音状態となる設定とされていることから、オーバーレイ広告動画の再生当初は図８（Ａ）が表示されることとなる。
【００７８】
次に、図８（Ｂ）の音を出力する状態での表示であるが、これは図７の右側上段を参照して説明済みであるので、再度の説明を省略する。なお、上述したように第１アイコンエリアＡＲ１−１の領域をユーザがタップ操作するたびに、音が出力される状態と消音状態が切り替わり、更に図８（Ａ）と図８(Ｂ)のように表示も切り替わる。
そして、上述の図８(Ａ)と図８(Ｂ)の何れの場合であったとしても、オーバーレイ広告動画として表示した動画が再生終了すると、図８(Ｃ)に遷移する。
【００７９】
図８(Ｃ)では、第２アイコンエリアＡＲ１−２については、図８(Ａ)及び(Ｂ)と同じである。動画広告エリアＡＲ１−３においては、動画の再生が終了していることから静止画が表示される。また、動画再生の終了に伴い消音状態となる。そして、第１アイコンエリアＡＲ１−１では、スピーカを模したアイコンやビジュアルエフェクトに代えて、リピートを表すアイコンが表示される。この場合に、第１アイコンエリアＡＲ１−１の領域においてユーザのタップ操作を受け付けると、図８の(Ａ)に遷移すると共に、オーバーレイ広告動画が最初から再度再生されると共に、音が出力される状態となる。なお、この場合に前回再生したオーバーレイ広告動画ではなく、他のオーバーレイ広告動画を再生するようにしてもよい。また、同じオーバーレイ広告動画を再生する場合であっても出力される音を異なるものとするようにしてもよい。
【００８０】
以上説明したように、本実施形態では第１アイコンエリアＡＲ１−１や第２アイコンエリアＡＲ１−２に表示するアイコンを、状態によって異ならせることから、ユーザは現在どのような状態にあるのかを容易に把握することが可能となる。また、簡単なタップ操作を行うのみで他の状態に容易に遷移することが可能となる。
【００８１】
次に、本実施形態での遷移と、動画エリアＡＲ１のスライドとの関係について説明をする。本実施形態では、動画エリアＡＲ１が最大の大きさの５０パーセント未満の表示状態の場合には、強制的に消音状態とする。図４を例にとって説明をすると、図４(Ａ)での動画エリアＡＲ１が最大の大きさで表示されている状態であれば、上述のようにして図８の(Ａ)、(Ｂ)及び(Ｃ)の各状態を遷移する。
しかしながら、ボタンＢ１に対応する第１アイコンエリアＡＲ１−１の領域においてタップ操作を受け付けた場合には、図４(Ｂ)のように、動画エリアＡＲ１がスライドする。そして、これに伴い動画エリアＡＲ１が最大の大きさの５０パーセント未満の表示状態となったのであれば、強制的に消音状態とすると共に、表示されている部分については図８(Ａ)のような表示に遷移させる。この場合に、再生中の動画は再生状態のままとしてもよいが、再生を取りやめて一時停止させてもよい。一時停止させるならば、停止時の画像を静止画として表示した状態としてもよい。そして、次回再生時に、一時停止した部分から動画の再生を再開すると共に音の出力も再開するとよい。また、一時停止するのではなく、再生を終了し、次回再生時には動画の冒頭から再度再生すると共に音も冒頭から再度出力を行うようにしてもよい。
その後、再度上部にスクロールした場合には(図５のＳＰ１７においてＹｅｓ)、オーバーレイ広告動画をスクロールに伴い表示させるが(図５のＳＰ１８)、この場合においても、動画エリアＡＲ１が最大の大きさの５０パーセント未満の間は、強制的に消音状態とすると共に、表示されている部分については図８(Ａ)のような表示とする。その後、更にスクロールがされて動画エリアＡＲ１が最大の大きさの５０パーセント以上となった場合は、強制的に音を出力する状態としてもよい。また、表示されている部分については図８(Ｂ)のような表示としてもよい。この場合に、前回動画エリアＡＲ１が最大の大きさの５０パーセント未満の表示状態となった際に動画を一時停止したならば、一時停止した部分から動画の再生を再開すると共に音の出力も再開するようにしてもよい。また、前回前回動画エリアＡＲ１が最大の大きさの５０パーセント未満の表示状態となった際に一時停止するのではなく、再生を終了させたならば、動画の冒頭から再度再生すると共に音も冒頭から再度出力を行うようにしてもよい。
【００８２】
これにより、例えば、オーバーレイ広告動画を表示する動画エリアＡＲ１が表示されていないのに音が出力されたり、その逆に動画エリアＡＲ１が再表示されたのに音は出力されなかったりするということを防止することが可能となる。なお、５０パーセントを基準として状態を遷移させるというのはあくまで例示であり、かかる基準として他の任意の値を設定できるようにしてもよい。例えば、２０パーセントや、８０パーセント、あるいは等の他の値を基準として状態を遷移させるように設定できるようにしてもよい。
【００８３】
〔第３実施形態〕
この実施形態では、ダウンロード等により事前にユーザ端末３Ａ、３Ｂにアプリケーションプログラムを実装するようにして、このアプリケーションプログラムの実行によりコンテンツサーバ２Ａ、２をアクセスしてホームページを表示する。この実施形態では、このホームページの表示をアプリケーションプログラムに従って実行し、図２について上述したようにホームページを表示する。またこのアプリケーションプログラムに基づいて、動画管理サーバ４へアクセスして動画ファイルを取得し、この動画ファイルによる動画を動画エリアＡＲ１で表示する。
【００８４】
この実施形態のように、アプリケーションプログラムに基づいて動画管理サーバ４から動画ファイルを取得してユーザに提供するようにしても、第１実施形態と同様の効果を得ることができる。
【００８５】
〔第４実施形態〕
この実施形態では、動画管理サーバ４において、さらにユーザ端末３Ａ、３Ｂからユーザ端末の識別情報を取得し、この識別情報に基づいてユーザ端末３Ａ、３Ｂのユーザを識別し、この識別結果に基づいてユーザ端末３Ａ、３Ｂに提供する動画をさらに選択する。
【００８６】
また、例えば、過去にボタンＢ１をタップ操作してオーバーレイ動画広告を非表示としたユーザに対しては、オーバーレイ動画広告の表示態様を異ならせる。具体的に、例えば動画エリアＡＲ１の大きさを小さくしたり、ユーザ端末３Ａ、３Ｂに提供する動画として再生時間の短い動画を選択するようにしたりする。また、例えば所定の閾値を定めるようにしてもよい。例えば、閾値を３と設定して、過去ボタンＢ１をタップ操作してオーバーレイ動画広告を４回以上非表示としたユーザに対しては、オーバーレイ動画広告の表示態様を異ならせるが、表示とした回数が３回以下のユーザに対してはオーバーレイ動画広告の表示態様を異ならせないようにしてもよい。また、このようなオーバーレイ動画広告の表示態様を異ならせる等の処理を行うか否かの基準を、ボタンＢ１をタップ操作してオーバーレイ広告動画を非表示としたか否かではなく、図１１(Ｂ)の第１アイコンエリアＡＲ１−１の領域をタップ操作して消音状態としたか否かとしてもよい。また、図１１(Ｂ)の第１アイコンエリアＡＲ１−１の領域をタップ操作して消音状態としたか否かを基準とした場合には、オーバーレイ広告動画の表示態様を異ならせるだけでなく、出力する音を異ならせるようにしてもよい。
【００８７】
この実施形態では、このユーザ端末３Ａ、３Ｂに関する構成が異なる点を除いて、第１実施形態又は第２実施形態と同一に構成される。
【００８８】
ここでこのユーザの識別は、ユーザ端末３Ａ、３Ｂの過去の操作履歴（例えば、ボタンＢ１をタップ操作してオーバーレイ動画広告を非表示とした回数、非表示とする頻度、オーバーレイ動画広告が再生してからボタンＢ１をタップ操作までの平均時間等である）、ユーザ端末３Ａ、３Ｂの契約時に取得したユーザの属性情報（例えば生年月日、性別、住所等である）、ソーシャネットワーク等を巡回して取得されるユーザ端末３Ａ、３Ｂに係る情報（例えば趣味、嗜好等である）に基づいて実行される。これによりこの実施形態では、一段と適切な動画を一段と適切な表示態様でユーザに提供する。
【００８９】
なおこれにより動画管理サーバは、このユーザの識別により対応する動画を選択可能に、属性情報により動画ファイルを管理できるように、属性情報の記録と関連付けて動画ファイルを記録して保持する。またこの属性情報により対応する動画ファイルを選択してユーザ端末３Ａ、３Ｂに提供する。
【００９０】
〔第５実施形態〕
上述した第１実施形態等では、図１に示すようにコンテンツサーバ２と動画管理サーバ４とが別々のサーバにより実現されていたが、本実施形態では、これら２つのサーバの機能を１つのサーバに実装する。
【００９１】
かかる本実施形態の構成について図９を参照して説明をする。図９に示すように、本実施形態では、別途のサーバ装置により実現されていたコンテンツサーバ２と動画管理サーバ４とが、１つのサーバである総合管理サーバ６として実現される。総合管理サーバ６は、コンテンツサーバ２と動画管理サーバ４の双方の機能を機能ブロックとして有することによりホームページの提供及び動画管理の双方を行う。この場合、上述したコンテンツサーバ２Ａ、３Ａと動画管理サーバ４との間の通信は、総合管理サーバ６の機能ブロック間での通信により実現する。このようにすれば、複数のサーバを設けなくとも、上述の各実施形態を実現することが可能となる。
【００９２】
〔他の実施形態〕
以上、本発明の実施に好適な具体的な構成を詳述したが、本発明は、本発明の趣旨を逸脱しない範囲で、上述の実施形態を種々に組み合わせることができる。さらには上述の実施形態の構成を種々に変更することができる。
【００９３】
例えば、動画エリアＡＲ１、コンテンツエリアＡＲ２及び境界エリアＡＲ３のレイアウトは、図２の例に限らず、種々のレイアウトを広く適用することができる。かかる他のレイアウトについて図１０乃至図２０を参照して以下説明をする。ここで、図１０乃至図２０のそれぞれは、動画エリアＡＲ１、コンテンツエリアＡＲ２及び境界エリアＡＲ３のレイアウトの変形例を表す図であり、例えば、上述した第１実施形態から第５の実施形態までの何れの実施形態にも適用することができる変形例である。
【００９４】
図１０を参照すると、ＳＰ１６における動画エリアＡＲ１のスライド方向を変形した変形例が記載されている。本例ではＳＰ１３の時点で、図１０（Ａ）として示すように、図４（Ａ）と同様にオーバーレイ動画広告を表示している。ここで、図４に表した例では、図４（Ｂ）及び（Ｃ）のように、ＳＰ１６において、動画エリアＡＲ１及び境界エリアＡＲ３を上方向にスライドすることにより、オーバーレイ動画広告を非表示の状態としていた。一方で、本例では、図１０（Ｂ）及び（Ｃ）のように、ＳＰ１６において、動画エリアＡＲ１及び境界エリアＡＲ３を上方向にスライドすることにより、オーバーレイ動画広告を非表示の状態とする。これにより、オーバーレイ動画広告が、コンテンツエリアＡＲ２を横切ってスライドした後に、非表示の状態となる。このようにすれば、オーバーレイ動画広告がコンテンツエリアＡＲ２を横切る際に、ユーザにオーバーレイ動画広告を参照させることができるのでよい。なお、図４（Ａ）において、動画エリアＡＲ１をコンテンツエリアＡＲ２の下に配置し、動画エリアＡＲ１とコンテンツエリアＡＲ２の境界に境界エリアＡＲ３を配置するようにしてもよい。この場合にも、オーバーレイ動画広告が、コンテンツエリアＡＲ２を横切ってスライドした後に、非表示の状態となる。更に、図１０（Ａ）において、動画エリアＡＲ１をコンテンツエリアＡＲ２の下に配置し、動画エリアＡＲ１とコンテンツエリアＡＲ２の境界に境界エリアＡＲ３を配置するようにしてもよい。
【００９５】
図１１を参照すると、ＳＰ１６における動画エリアＡＲ１のスライド方向を変形した変形例が記載されている。本例ではＳＰ１３の時点で、図１１（Ａ）として示すように、図４（Ａ）と同様にオーバーレイ動画広告を表示している。ここで、図４に表した例では、図４（Ｂ）及び（Ｃ）のように、ＳＰ１６において、動画エリアＡＲ１及び境界エリアＡＲ３を上方向にスライドすることにより、オーバーレイ動画広告を非表示の状態としていた。一方で、本例では、図１１（Ｂ）及び（Ｃ）のように、ＳＰ１６において、動画エリアＡＲ１及び境界エリアＡＲ３を右方向にスライドすることにより、オーバーレイ動画広告を非表示の状態とする。なお、図１１（Ａ）において、動画エリアＡＲ１をコンテンツエリアＡＲ２の下に配置し、動画エリアＡＲ１とコンテンツエリアＡＲ２の境界に境界エリアＡＲ３を配置するようにしてもよい。
【００９６】
図１２を参照すると、ＳＰ１６における動画エリアＡＲ１のスライド方向を変形した変形例が記載されている。本例ではＳＰ１３の時点で、図１２（Ａ）として示すように、図４（Ａ）と同様にオーバーレイ動画広告を表示している。ここで、図４に表した例では、図４（Ｂ）及び（Ｃ）のように、ＳＰ１６において、動画エリアＡＲ１及び境界エリアＡＲ３を上方向にスライドすることにより、オーバーレイ動画広告を非表示の状態としていた。一方で、本例では、図１２（Ｂ）及び（Ｃ）のように、ＳＰ１６において、動画エリアＡＲ１及び境界エリアＡＲ３を左方向にスライドすることにより、オーバーレイ動画広告を非表示の状態とする。なお、図１２（Ａ）において、動画エリアＡＲ１をコンテンツエリアＡＲ２の下に配置し、動画エリアＡＲ１とコンテンツエリアＡＲ２の境界に境界エリアＡＲ３を配置するようにしてもよい。ここで、例えばユーザ端末３Ａ、３Ｂの表示部が横長の画面である場合に、図１１や図１２のように変形すると、オーバーレイ動画広告がスライドする際に、ユーザにオーバーレイ動画広告を長時間参照させることができるのでよい。
【００９７】
図１３を参照すると、ＳＰ１６において動画エリアＡＲ１を一方向へのスライド以外の方法にて非表示とする変形例が記載されている。本例ではＳＰ１３の時点で、図１３（Ａ）として示すように、図４（Ａ）と同様にオーバーレイ動画広告を表示している。ここで、図４に表した例では、図４（Ｂ）及び（Ｃ）のように、ＳＰ１６において、動画エリアＡＲ１及び境界エリアＡＲ３を上方向にスライドすることにより、オーバーレイ動画広告を非表示の状態としていた。一方で、本例では、図１３（Ｂ）及び（Ｃ）のように、ＳＰ１６において、動画エリアＡＲ１及び境界エリアＡＲ３の形を保ったまま、その面積を縮小することにより、オーバーレイ動画広告を非表示の状態とする。なお、図１３（Ａ）において、動画エリアＡＲ１をコンテンツエリアＡＲ２の下に配置し、動画エリアＡＲ１とコンテンツエリアＡＲ２の境界に境界エリアＡＲ３を配置するようにしてもよい。また、図１３においては、動画エリアＡＲ１及び境界エリアＡＲ３を合わせた領域の中央部分に向かって縮小している例を示しているが、例えば動画エリアＡＲ１及び境界エリアＡＲ３を合わせた領域の右上部分や、左上部分に向かって縮小していくようにしてもよい。本例のようにすれば、オーバーレイ動画広告の縦横比を保ったままでオーバーレイ動画広告を参照可能としつつ、オーバーレイ動画広告を非表示とできるのでよい。
【００９８】
図１４を参照すると、ＳＳＰ１６において動画エリアＡＲ１をスライド以外の方法にて非表示とする変形例が記載されている。本例ではＳＰ１３の時点で、図１４（Ａ）として示すように、図４（Ａ）と同様にオーバーレイ動画広告を表示している。ここで、図４に表した例では、図４（Ｂ）及び（Ｃ）のように、ＳＰ１６において、動画エリアＡＲ１及び境界エリアＡＲ３を上方向にスライドすることにより、オーバーレイ動画広告を非表示の状態としていた。一方で、本例では、図１４（Ｂ）及び（Ｃ）のように、ＳＰ１６において、動画エリアＡＲ１及び境界エリアＡＲ３の形及び面積を保ったまま、オーバーレイ動画広告の不透明度を下げることにより、オーバーレイ動画広告を非表示の状態とする。なお、図１４（Ａ）において、動画エリアＡＲ１をコンテンツエリアＡＲ２の下に配置し、動画エリアＡＲ１とコンテンツエリアＡＲ２の境界に境界エリアＡＲ３を配置するようにしてもよい。本例のようにすれば、オーバーレイ動画広告の縦横比及び面積を保ったままでオーバーレイ動画広告を参照可能としつつ、オーバーレイ動画広告を非表示とできるのでよい。
【００９９】
図１５を参照すると、ＳＰ１６における処理を変形した変形例が記載されている。本例ではＳＰ１３の時点で、図１５（Ａ）として示すように、図４（Ａ）と同様にオーバーレイ動画広告を表示している。ここで、図４に表した例では、図４（Ｂ）及び（Ｃ）のように、ＳＰ１６において、動画エリアＡＲ１及び境界エリアＡＲ３を上方向にスライドすることにより、オーバーレイ動画広告を非表示の状態としていた。一方で、本例では、図１５（Ｂ）として示すようにＳＰ１６において、境界エリアＡＲ３をフルスクリーンで表示する。これにより、オーバーレイ動画広告が全画面で表示される。ここで、図１５（Ａ）と同じ縦横比でオーバーレイ動画広告を表示できるように、図１５（Ｂ）においては、オーバーレイ動画広告を縦型表示にする。また、ユーザがオーバーレイ動画広告を非表示とできるように、例えば、右上部分にオーバーレイ動画広告を表示とするボタンＢ２を設ける。そして、かかるボタンＢ２がユーザにタップ操作されたならば、図４（Ｃ）と同様、図１５（Ｃ）に示すようにオーバーレイ動画広告を非表示とする。本例のようにすれば、オーバーレイ動画広告をフルスクリーンでユーザに参照させることができるのでよい。
【０１００】
図１６を参照すると、図５における処理を変形した変形例が記載されている。本例ではまず、図１６（Ａ）として示すように、境界エリアＡＲ３をフルスクリーンで表示する。これにより、オーバーレイ動画広告が全画面で表示される。ここでは、図１５（Ｂ）と同様に、オーバーレイ動画広告を縦型表示にする。また、ユーザがオーバーレイ動画広告を非表示とすることができるように、例えば、右上部分にオーバーレイ動画広告を非表示とするためのボタンＢ３を設ける。そして、ユーザがボタンＢ３をタップ操作したならば図１６（Ｂ）として示すように画面上部にバナー広告として例えば静止画を表示し、画面下部にコンテンツエリアＡＲ２を表示する。かかるバナー広告上には、オーバーレイ動画広告をフルスクリーン表示するためのボタンＢ４を設ける。そして、バナー広告が押下されたならば、再度図１６（Ａ）のように境界エリアＡＲ３をフルスクリーンで表示する。これにより、オーバーレイ動画広告が全画面で表示される。一方で、ボタンＢ４がタップ操作されたならば、図４（Ｃ）と同様、図１６（Ｃ）に示すようにオーバーレイ動画広告を非表示とする。本例のようにすれば、オーバーレイ動画広告をフルスクリーンでユーザに参照させることができるのでよい。
【０１０１】
図１７を参照すると、オーバーレイ動画広告の表示方法を変形した変形例が記載されている。本例ではＳＰ１３の時点で、図４（Ａ）と同様に上部に動画エリアＡＲ１を配置し、下部にコンテンツエリアＡＲ２を配置し、動画エリアＡＲ１とコンテンツエリアＡＲ２の境界に境界エリアＡＲ３を配置する。そして、動画エリアＡＲ１にオーバーレイ動画広告を表示するが、オーバーレイ動画広告の中央には１つの広告動画が再生されるエリアが配置されその左右には、格子のような境界が配置され、更に左右の端部のそれぞれには、中央において再生されている広告動画とは異なる広告動画が再生されている。ただし、左右の端部のそれぞれには、中央において再生されている広告動画とは異なる広告動画が一時停止された静止画の状態で表示されていてもよい。そして、ユーザが格子上に設けられたアイコンをタップ操作したり、境界エリアＡＲ３の何れかの部分を左方向又は右方向にスワイプ操作したりしたことを契機として、図１７（Ｂ）に示すように境界エリアＡＲ３を左方向又は右方向にスライドさせ、中央にて再生する広告動画を左右の端部に表示されていた広告動画と切り換える。なお本例においてボタンＢ１に対するタップ操作や動画広告の再生終了を契機としてＳＰ１６の処理を行う場合は、図４（Ｂ）及び（Ｃ）のように、動画エリアＡＲ１及び境界エリアＡＲ３を上方向にスライドすることにより、オーバーレイ動画広告を非表示の状態とする。本例では、左右に他の広告動画を配置することにより、ユーザによる広告動画の選択を容易とすることができるのでよい。
【０１０２】
図１８を参照すると、ＳＰ１６における動画エリアＡＲ１のスライド方向を変形した変形例が記載されている。本例ではＳＰ１３の時点で、図１８（Ａ）として示すように、図４（Ａ）と同様にオーバーレイ動画広告を表示している。ここで、図４に表した例では、図４（Ｂ）及び（Ｃ）のように、ＳＰ１６において、動画エリアＡＲ１及び境界エリアＡＲ３を上方向にスライドすることにより、オーバーレイ動画広告を非表示の状態としていた。一方で、本例では、ボタンＢ１に対するタップ操作が行なわれた場合に、図１８（Ｂ）として示すように、オーバーレイ動画広告を画面左上に縮小して表示する。この際にオーバーレイ動画広告の縦横比は維持したままとする。すると、画面右上にスペースができるので、かかるスペースには例えばテキストバナーと、ボタンＢ５を表示する。そして、この状態で左上のオーバーレイ動画広告がタップ操作されたならば図１８（Ａ）の表示を再度行う。一方で、ボタンＢ５が押下されたならば、図１８（Ｃ）として示すように、オーバーレイ動画広告を非表示の状態とする。なお、図１８（Ａ）や（Ｂ）において、オーバーレイ動画広告やテキストバナーを表示する動画エリアＡＲ１をコンテンツエリアＡＲ２の下に配置し、動画エリアＡＲ１とコンテンツエリアＡＲ２の境界に境界エリアＡＲ３を配置するようにしてもよい。
【０１０３】
図１９（Ａ）及び（Ｂ）を参照すると、コンテンツエリアＡＲ２における表示を変形した変形例が記載されている。本例では、コンテンツエリアＡＲ２の右端にボタンＢ１を配置する点で上述の各実施形態や他の変形例と共通するが、コンテンツエリアＡＲ２のボタンＢ１以外の領域にテロップを表示する点で相違する。テロップの具体的な内容に特に制限はないが、例えば、オーバーレイ動画広告に対応する字幕や、キャンペーン情報とする。本例ではテロップを左方向にスクロールする。
【０１０４】
図２０（Ａ）、（Ｂ）、（Ｃ）及び（Ｄ）を参照すると、コンテンツエリアＡＲ２における表示を変形した変形例が記載されている。本例では、図１９に示す例と同様に、コンテンツエリアＡＲ２のボタンＢ１以外の領域にテロップを表示する。テロップの内容については図１９と同様である。そして本例では、テロップを下方向にスクロールする。
【０１０５】
図１９や図２０に示す変形例とすると、ユーザに対してテキストにより宣伝広告活動も行うことが可能となる。なお、これらの例において、ボタンＢ１がタップ操作された場合の挙動といったその他の点においては、図４を参照して説明した例と同じである。
【０１０６】
以上、図４や図１０乃至図２０を参照して説明した各レイアウトは、それぞれを組み合わせることもできる。例えば図１０に示すレイアウトにおいて、図１９や図２０の変形例のようなテロップを組み合わせることも可能である。他にも、例えば、或るコンテンツサーバにおいては、図４のようなレイアウトで表示を行なわせ、他のコンテンツサーバにおいては、図１０のように表示を行わせるようなことも可能である。また、オーバーレイ動画広告毎にレイアウトを異ならせて表示させるようなことも可能である。更に、各実施形態を組み合わせることも可能である。
【０１０７】
例えば、図５のフローチャートを参照した説明においては、ＳＰ１７及びＳＰ１８により、一度非表示としたオーバーレイ動画広告を、再度表示することとしているが、これら２つのステップを設けないようにしてもよい。つまり、ＳＰ１６でオーバーレイ動画広告を非表示とした後は、図５の処理を終了し、以後はオーバーレイ動画広告を非表示のままとしてもよい。
また、上述の各実施形態を所定のビジネスモデルに適用するようにしてもよい。例えば、動画管理サーバ４を運営する事業者は、宣伝広告活動を行いたい事業者から報酬を受け取り、その一部をコンテンツサーバ２Ａ、２Ｂを運営する事業者に支払うといったビジネスモデルに適用するようにしてもよい。更に、ボタンＢ１等のボタンをスライドアップボタンと呼ぶようにしてもよい。更に、オーバーレイ動画広告の一部が静止画やテキスト等であってもよい。
【０１０８】
なお、上述した各実施形態における、ユーザ端末、動画管理サーバ及びコンテンツサーバのそれぞれは、それぞれ、ハードウェア、ソフトウェア又はこれらの組み合わせにより実現することができる。また、上記のユーザ端末、動画管理サーバ及びコンテンツサーバにより行なわれる表示方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１０９】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。
【符号の説明】
【０１１０】
１、５  動画提供システム
２、２Ａ、２Ｂ  コンテンツサーバ
３Ａ、３Ｂ  ユーザ端末
４  動画管理サーバ
６  総合管理サーバ
Ｂ１、Ｂ２、Ｂ３、Ｂ４、Ｂ５  ボタン
ＡＲ１  動画エリア
ＡＲ１−１  第１アイコンエリア
ＡＲ１−２  第２アイコンエリア
ＡＲ１−３  動画広告エリア
ＡＲ２  コンテンツエリア
ＡＲ３  境界エリア
ＡＲ４  反応エリア
【図１】
2017228928.tif 000003
【図２】
2017228928.tif 000004
【図３】
2017228928.tif 000005
【図４】
2017228928.tif 000006
【図５】
2017228928.tif 000007
【図６】
2017228928.tif 000008
【図７】
2017228928.tif 000009
【図８】
2017228928.tif 000010
【図９】
2017228928.tif 000011
【図１０】
2017228928.tif 000012
【図１１】
2017228928.tif 000013
【図１２】
2017228928.tif 000014
【図１３】
2017228928.tif 000015
【図１４】
2017228928.tif 000016
【図１５】
2017228928.tif 000017
【図１６】
2017228928.tif 000018
【図１７】
2017228928.tif 000019
【図１８】
2017228928.tif 000020
【図１９】
2017228928.tif 000021
【図２０】
2017228928.tif 000022
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
ユーザ端末からのサーバへのアクセス時に、コンテンツデータ及び動画データと、該コンテンツデータと該動画データの前記ユーザ端末上での表示方法を記述したデータである制御データとを、前記サーバから前記ユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記所定の条件は、前記ユーザ端末がアイコンを用いた操作を受け付けたことであり、
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する
表示方法。
【請求項２】
前記サーバ送信ステップにおいて、前記コンテンツデータ及び前記動画データと共に音データを送信し、前記制御データは前記表示方法と共に前記音データの前記ユーザ端末上での出力方法を記述し、
前記出力ステップにおいて、前記コンテンツデータと前記動画データとを再生して表示すると共に前記音データを出力し、前記所定の条件が満たされた場合に、前記動画データを再生して表示する領域の面積を段階的に小さくすると共に、前記音データを出力する状態と消音する状態とを切り替える
請求項１に記載の表示方法。
【請求項３】
前記出力ステップにおける、前記サーバから受信した前記動画データの再生の終了と共に、前記アイコンを、前記動画データを再度再生する指示を与えるためのアイコンに置き換える
請求項１又は２に記載の表示方法。
【請求項４】
ユーザ端末からのサーバへのアクセス時に、コンテンツデータ及び動画データと、該コンテンツデータと該動画データの前記ユーザ端末上での表示方法を記述したデータである制御データとを、前記サーバから前記ユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示する
表示方法。
【請求項５】
前記サーバ送信ステップにおいて、前記コンテンツデータ及び前記動画データと共に音データを送信し、前記制御データは前記表示方法と共に前記音データの前記ユーザ端末上での出力方法を記述し、
前記出力ステップにおいて、前記コンテンツデータと前記動画データとを再生して表示すると共に前記音データを出力し、前記所定の条件が満たされた場合に、前記動画データを再生して表示する領域の面積を段階的に小さくすると共に、前記音データを出力する状態と消音する状態とを切り替える
請求項４に記載の表示方法。
【請求項６】
前記所定の条件とは、前記ユーザ端末がアイコンを用いた操作を受け付けたこと、又は前記動画データの再生時間が経過して再生が終了したことの何れか又は双方である
請求項４又は５に記載の表示方法。
【請求項７】
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する
請求項６に記載の表示方法。
【請求項８】
前記出力ステップにおける、前記サーバから受信した前記動画データの再生の終了と共に、前記アイコンを、前記動画データを再度再生する指示を与えるためのアイコンに置き換える
請求項６又は７に記載の表示方法。
【請求項９】
ユーザ端末からのサーバへのアクセス時に、コンテンツデータ及び動画データと、該コンテンツデータと該動画データの前記ユーザ端末上での表示方法を記述したデータである制御データとを、前記サーバから前記ユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記ユーザ端末が前記出力ステップにおいて、
前記動画データを再生して表示する領域の面積を段階的に小さくすることを繰り返して、前記動画データを再生して表示する領域を無くすことにより前記動画データを非表示状態とすると共に、その後、前記コンテンツデータを表示する領域のスクロールに伴い、前記コンテンツデータを表示する領域の端部を表示する場合に、該端部と隣接する領域に前記動画データを再生して表示する領域を配置することにより前記動画データを再度表示状態とする
表示方法。
【請求項１０】
前記サーバ送信ステップにおいて、前記コンテンツデータ及び前記動画データと共に音データを送信し、前記制御データは前記表示方法と共に前記音データの前記ユーザ端末上での出力方法を記述し、
前記出力ステップにおいて、前記コンテンツデータと前記動画データとを再生して表示すると共に前記音データを出力し、前記所定の条件が満たされた場合に、前記動画データを再生して表示する領域の面積を段階的に小さくすると共に、前記音データを出力する状態と消音する状態とを切り替える
請求項９に記載の表示方法。
【請求項１１】
前記所定の条件とは、前記ユーザ端末がアイコンを用いた操作を受け付けたこと、又は前記動画データの再生時間が経過して再生が終了したことの何れか又は双方である
請求項９又は１０に記載の表示方法。
【請求項１２】
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する
請求項１１に記載の表示方法。
【請求項１３】
前記出力ステップにおける、前記サーバから受信した前記動画データの再生の終了と共に、前記アイコンを、前記動画データを再度再生する指示を与えるためのアイコンに置き換える
請求項１１又は１２に記載の表示方法。
【請求項１４】
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示する
請求項９から１３のいずれか１項に記載の表示方法。
【手続補正２】
【補正対象書類名】明細書
【補正対象項目名】０００９
【補正方法】変更
【補正の内容】
【０００９】
（１）  ユーザ端末からのサーバへのアクセス時に、コンテンツデータ及び動画データと、該コンテンツデータと該動画データのユーザ端末上での表示方法を記述したデータである制御データとを、前記サーバからユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記所定の条件は、前記ユーザ端末がアイコンを用いた操作を受け付けたことであり、
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する
表示方法。
この表示方法によれば、制御データの記述に基づいて、所定の条件が満たされた場合に前記動画データを再生して表示する領域の面積を段階的に小さくすることができる。これにより、例えば広告動画表示する場合に、ユーザ端末上での表示方法を変更することができる。また、これにより、ユーザはコンテンツを広い領域で参照することが可能となる。また、アイコンの操作を契機として動画データを表示する領域を小さくすることができる。この点、アイコンの操作を契機とする場合は、動画データを表示する領域を小さくしたいか否かについてのユーザの意思を反映することができる。またコンテンツデータをスクロールするまでは、動画データを表示する領域を小さくするためのアイコンによる操作を受け付けない。そのため、コンテンツデータをスクロールするまでは、ユーザに動画を参照させることができる。
【手続補正３】
【補正対象書類名】明細書
【補正対象項目名】００１０
【補正方法】変更
【補正の内容】
【００１０】
（２）  ユーザ端末からのサーバへのアクセス時に、コンテンツデータ及び動画データと、該コンテンツデータと該動画データのユーザ端末上での表示方法を記述したデータである制御データとを、前記サーバからユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示する
表示方法。
この表示方法によれば、制御データの記述に基づいて、所定の条件が満たされた場合に前記動画データを再生して表示する領域の面積を段階的に小さくすることができる。これにより、例えば広告動画表示する場合に、ユーザ端末上での表示方法を変更することができる。また、これにより、ユーザはコンテンツを広い領域で参照することが可能となる。また、コンテンツデータを表示する領域のスクロールがあったとしても動画データを再生して表示することができる。これにより、ユーザに動画データを参照させることが可能となる。また、動画データを再生して表示する領域の面積を段階的に小さくすることにより、存在しなくなった部分については、重畳している部分に対応するコンテンツデータを表示することができる。これにより、画面内に、動画もコンテンツも表示されないような領域を生んでしまうようなことを防止できる。従って、画面内を有効に活用することができる。
【手続補正４】
【補正対象書類名】明細書
【補正対象項目名】００１１
【補正方法】変更
【補正の内容】
【００１１】
（３）ユーザ端末からのサーバへのアクセス時に、コンテンツデータ及び動画データと、該コンテンツデータと該動画データのユーザ端末上での表示方法を記述したデータである制御データとを、前記サーバからユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記ユーザ端末が前記出力ステップにおいて、
前記動画データを再生して表示する領域の面積を段階的に小さくすることを繰り返して、前記動画データを再生して表示する領域を無くすことにより前記動画データを非表示状態とすると共に、その後、前記コンテンツデータを表示する領域のスクロールに伴い、前記コンテンツデータを表示する領域の端部を表示する場合に、該端部と隣接する領域に前記動画データを再生して表示する領域を配置することにより前記動画データを再度表示状態とする
表示方法。
この表示方法によれば、制御データの記述に基づいて、所定の条件が満たされた場合に前記動画データを再生して表示する領域の面積を段階的に小さくすることができる。これにより、例えば広告動画表示する場合に、ユーザ端末上での表示方法を変更することができる。また、これにより、ユーザはコンテンツを広い領域で参照することが可能となる。また、所定の条件が満たされた場合に、動画を非表示とすることができる。これにより、広い領域でユーザにコンテンツを参照させることができる。また、コンテンツデータを表示する領域が、領域の端部までスクロールした場合に、ユーザに再度動画を参照させることができる。
【手続補正５】
【補正対象書類名】明細書
【補正対象項目名】００１２
【補正方法】変更
【補正の内容】
【００１２】
（４）  （１）から（３）のいずれかの表示方法の前記サーバ送信ステップにおいて、前記コンテンツデータ及び前記動画データと共に音データを送信し、前記制御データは前記表示方法と共に前記音データのユーザ端末上での出力方法を記述し、
前記出力ステップにおいて、前記コンテンツデータと前記動画データとを再生して表示すると共に前記音データを出力し、前記所定の条件が満たされた場合に、前記動画データを再生して表示する領域の面積を段階的に小さくすると共に、前記音データを出力する状態と消音する状態とを切り替える表示方法。
この表示方法によれば、制御データの記述に基づいて、所定の条件が満たされた場合に前記動画データを再生して表示する領域の面積を段階的に小さくすることができる。これにより、例えば広告動画表示する場合に、ユーザ端末上での表示方法を変更することができる。また、これにより、ユーザはコンテンツを広い領域で参照することが可能となる。更に、動画データの再生に伴い。音データを出力できると共に、所定の条件が満たされた場合に前記音データを出力する状態と消音する状態とを切り替えることができる。これにより、例えば広告動画表示すると共に音声を出力する場合に、ユーザ端末上で音を出力するか否かを変更することができる。
【手続補正６】
【補正対象書類名】明細書
【補正対象項目名】００１３
【補正方法】変更
【補正の内容】
【００１３】
（５）  （２）又は（３）の表示方法において、
前記所定の条件とは、前記ユーザ端末がアイコンを用いた操作を受け付けたこと、又は動画データの再生時間が経過して再生が終了したことの何れか又は双方である表示方法。
この表示方法によれば、アイコンの操作や動画の再生終了を契機として動画データを表示する領域を小さくしたり、音の出力と消音とを切り替えたりすることができる。この点、アイコンの操作を契機とする場合は、動画データを表示する領域を小さくしたいか否かや、音を出力したいか否かについてのユーザの意思を反映することができる。また、動画の再生終了を契機とする場合は、ユーザの操作を要することなく動画データを表示する領域を小さくしたり、消音したりすることができる。
【手続補正７】
【補正対象書類名】明細書
【補正対象項目名】００１４
【補正方法】変更
【補正の内容】
【００１４】
（６）  （５）の表示方法において、
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する表示方法。
この表示方法によれば、コンテンツデータをスクロールするまでは、動画データを表示する領域を小さくするためのアイコンによる操作を受け付けない。そのため、コンテンツデータをスクロールするまでは、ユーザに動画を参照させることができる。
【手続補正８】
【補正対象書類名】明細書
【補正対象項目名】００１５
【補正方法】変更
【補正の内容】
【００１５】
（７）  （５）又は（６）の表示方法において、
前記出力ステップにおける、前記サーバから受信した前記動画データの再生の終了と共に、前記アイコンを、前記動画データを再度再生する指示を与えるためのアイコンに置き換える表示方法。
この表示方法によれば、動画データ再生終了時に、ユーザがアイコンにより、動画データを再度再生する指示を容易に与えることができる。
【手続補正９】
【補正対象書類名】明細書
【補正対象項目名】００１６
【補正方法】変更
【補正の内容】
【００１６】
（８）  （３）、（４）、（５）、（６）又は（７）の表示方法において、
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、該重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示する表示方法。
この表示方法によれば、コンテンツデータを表示する領域のスクロールがあったとしても動画データを再生して表示することができる。これにより、ユーザに動画データを参照させることが可能となる。また、動画データを再生して表示する領域の面積を段階的に小さくすることにより、存在しなくなった部分については、重畳している部分に対応するコンテンツデータを表示することができる。これにより、画面内に、動画もコンテンツも表示されないような領域を生んでしまうようなことを防止できる。従って、画面内を有効に活用することができる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
ユーザ端末からのサーバへのアクセス時に、コンテンツデータ及び動画データと、該コンテンツデータと該動画データの前記ユーザ端末上での表示方法を記述したデータである制御データとを、前記サーバから前記ユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記所定の条件は、前記ユーザ端末がアイコンを用いた操作を受け付けたことであり、
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する
表示方法。
【請求項２】
前記サーバ送信ステップにおいて、前記コンテンツデータ及び前記動画データと共に音データを送信し、前記制御データは前記表示方法と共に前記音データの前記ユーザ端末上での出力方法を記述し、
前記出力ステップにおいて、前記コンテンツデータと前記動画データとを再生して表示すると共に前記音データを出力し、前記所定の条件が満たされた場合に、前記動画データを再生して表示する領域の面積を段階的に小さくすると共に、前記音データを出力する状態と消音する状態とを切り替える
請求項１に記載の表示方法。
【請求項３】
前記出力ステップにおける、前記サーバから受信した前記動画データの再生の終了と共に、前記アイコンを、前記動画データを再度再生する指示を与えるためのアイコンに置き換える
請求項１又は２に記載の表示方法。
【請求項４】
ユーザ端末からのサーバへのアクセス時に、コンテンツデータ及び動画データと、該コンテンツデータと該動画データの前記ユーザ端末上での表示方法を記述したデータである制御データとを、前記サーバから前記ユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示し、
前記所定の条件とは、前記ユーザ端末がアイコンを用いた操作を受け付けたこと、又は前記動画データの再生時間が経過して再生が終了したことの何れか又は双方であり、
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する
表示方法。
【請求項５】
前記サーバ送信ステップにおいて、前記コンテンツデータ及び前記動画データと共に音データを送信し、前記制御データは前記表示方法と共に前記音データの前記ユーザ端末上での出力方法を記述し、
前記出力ステップにおいて、前記コンテンツデータと前記動画データとを再生して表示すると共に前記音データを出力し、前記所定の条件が満たされた場合に、前記動画データを再生して表示する領域の面積を段階的に小さくすると共に、前記音データを出力する状態と消音する状態とを切り替える
請求項４に記載の表示方法。
【請求項６】
前記出力ステップにおける、前記サーバから受信した前記動画データの再生の終了と共に、前記アイコンを、前記動画データを再度再生する指示を与えるためのアイコンに置き換える
請求項４又は５に記載の表示方法。
【請求項７】
ユーザ端末からのサーバへのアクセス時に、コンテンツデータ及び動画データと、該コンテンツデータと該動画データの前記ユーザ端末上での表示方法を記述したデータである制御データとを、前記サーバから前記ユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記ユーザ端末が前記出力ステップにおいて、
前記動画データを再生して表示する領域の面積を段階的に小さくすることを繰り返して、前記動画データを再生して表示する領域を無くすことにより前記動画データを非表示状態とすると共に、その後、前記コンテンツデータを表示する領域のスクロールに伴い、前記コンテンツデータを表示する領域の端部を表示する場合に、該端部と隣接する領域に前記動画データを再生して表示する領域を配置することにより前記動画データを再度表示状態とする
表示方法。
【請求項８】
前記サーバ送信ステップにおいて、前記コンテンツデータ及び前記動画データと共に音データを送信し、前記制御データは前記表示方法と共に前記音データの前記ユーザ端末上での出力方法を記述し、
前記出力ステップにおいて、前記コンテンツデータと前記動画データとを再生して表示すると共に前記音データを出力し、前記所定の条件が満たされた場合に、前記動画データを再生して表示する領域の面積を段階的に小さくすると共に、前記音データを出力する状態と消音する状態とを切り替える
請求項７に記載の表示方法。
【請求項９】
前記所定の条件とは、前記ユーザ端末がアイコンを用いた操作を受け付けたこと、又は前記動画データの再生時間が経過して再生が終了したことの何れか又は双方である
請求項７又は８に記載の表示方法。
【請求項１０】
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する
請求項９に記載の表示方法。
【請求項１１】
前記出力ステップにおける、前記サーバから受信した前記動画データの再生の終了と共に、前記アイコンを、前記動画データを再度再生する指示を与えるためのアイコンに置き換える
請求項９又は１０に記載の表示方法。
【請求項１２】
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示する
請求項７から１１のいずれか１項に記載の表示方法。
【手続補正２】
【補正対象書類名】明細書
【補正対象項目名】００１０
【補正方法】変更
【補正の内容】
【００１０】
（２）  ユーザ端末からのサーバへのアクセス時に、コンテンツデータ及び動画データと、該コンテンツデータと該動画データのユーザ端末上での表示方法を記述したデータである制御データとを、前記サーバからユーザ端末に送信するサーバ送信ステップと、
前記ユーザ端末が、前記サーバから受信した前記制御データの記述に基づいた表示方法で、前記サーバから受信した前記コンテンツデータと前記動画データとを再生して表示する出力ステップと、を備え、
前記ユーザ端末が前記出力ステップにおいて、所定の条件が満たされた場合に前記動画データを再生して表示する領域の面積を段階的に小さくし、
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示し、
前記所定の条件とは、前記ユーザ端末がアイコンを用いた操作を受け付けたこと、又は前記動画データの再生時間が経過して再生が終了したことの何れか又は双方であり、
前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始する
表示方法。
この表示方法によれば、制御データの記述に基づいて、所定の条件が満たされた場合に前記動画データを再生して表示する領域の面積を段階的に小さくすることができる。これにより、例えば広告動画表示する場合に、ユーザ端末上での表示方法を変更することができる。また、これにより、ユーザはコンテンツを広い領域で参照することが可能となる。また、コンテンツデータを表示する領域のスクロールがあったとしても動画データを再生して表示することができる。これにより、ユーザに動画データを参照させることが可能となる。また、動画データを再生して表示する領域の面積を段階的に小さくすることにより、存在しなくなった部分については、重畳している部分に対応するコンテンツデータを表示することができる。これにより、画面内に、動画もコンテンツも表示されないような領域を生んでしまうようなことを防止できる。従って、画面内を有効に活用することができる。
また上記表示方法によれば、前記所定の条件を、前記ユーザ端末がアイコンを用いた操作を受け付けたこと、又は動画データの再生時間が経過して再生が終了したことの何れか又は双方とすることにより、アイコンの操作や動画の再生終了を契機として動画データを表示する領域を小さくしたり、音の出力と消音とを切り替えたりすることができる。この点、アイコンの操作を契機とする場合は、動画データを表示する領域を小さくしたいか否かや、音を出力したいか否かについてのユーザの意思を反映することができる。また、動画の再生終了を契機とする場合は、ユーザの操作を要することなく動画データを表示する領域を小さくしたり、消音したりすることができる。
また上記表示方法によれば、前記ユーザ端末が前記出力ステップにおいて、
前記コンテンツデータを表示する領域のスクロールに伴い、前記コンテンツデータを再生して表示する領域が、前記動画データを再生して表示する領域と重畳したことを契機として、前記アイコンによる操作の受け付けを開始することにより、コンテンツデータをスクロールするまでは、動画データを表示する領域を小さくするためのアイコンによる操作を受け付けない。そのため、コンテンツデータをスクロールするまでは、ユーザに動画を参照させることができる。
【手続補正３】
【補正対象書類名】明細書
【補正対象項目名】００１３
【補正方法】変更
【補正の内容】
【００１３】
（５）  （３）の表示方法において、
前記所定の条件とは、前記ユーザ端末がアイコンを用いた操作を受け付けたこと、又は動画データの再生時間が経過して再生が終了したことの何れか又は双方である表示方法。
この表示方法によれば、アイコンの操作や動画の再生終了を契機として動画データを表示する領域を小さくしたり、音の出力と消音とを切り替えたりすることができる。この点、アイコンの操作を契機とする場合は、動画データを表示する領域を小さくしたいか否かや、音を出力したいか否かについてのユーザの意思を反映することができる。また、動画の再生終了を契機とする場合は、ユーザの操作を要することなく動画データを表示する領域を小さくしたり、消音したりすることができる。
【手続補正４】
【補正対象書類名】明細書
【補正対象項目名】００１５
【補正方法】変更
【補正の内容】
【００１５】
（７）  （２）、（５）又は（６）の表示方法において、
前記出力ステップにおける、前記サーバから受信した前記動画データの再生の終了と共に、前記アイコンを、前記動画データを再度再生する指示を与えるためのアイコンに置き換える表示方法。
この表示方法によれば、動画データ再生終了時に、ユーザがアイコンにより、動画データを再度再生する指示を容易に与えることができる。
【手続補正５】
【補正対象書類名】明細書
【補正対象項目名】００１６
【補正方法】変更
【補正の内容】
【００１６】
（８）  （２）、（３）、（４）、（５）、（６）又は（７）の表示方法において、
前記ユーザ端末が前記出力ステップにおいて、
前記コンテンツデータを表示する領域のスクロールに伴い、前記コンテンツデータを再生して表示する領域に、前記動画データを再生して表示する領域が重畳した場合に、該重畳部分において前記コンテンツデータではなく前記動画データを再生して表示し、
前記動画データを再生して表示する領域の面積を段階的に小さくした場合に、該小さくすることにより存在しなくなった前記動画データを再生して表示する領域部分については、該領域部分に重畳していたコンテンツデータを再生して表示する領域に対応するコンテンツデータを再生して表示する表示方法。
この表示方法によれば、コンテンツデータを表示する領域のスクロールがあったとしても動画データを再生して表示することができる。これにより、ユーザに動画データを参照させることが可能となる。また、動画データを再生して表示する領域の面積を段階的に小さくすることにより、存在しなくなった部分については、重畳している部分に対応するコンテンツデータを表示することができる。これにより、画面内に、動画もコンテンツも表示されないような領域を生んでしまうようなことを防止できる。従って、画面内を有効に活用することができる。